(57)【特許請求の範囲】
【請求項１】
竿体に取り付けられ外周面にリール着座面が形成されたリール着座部と、前記リール着座面の一端側に固定的に取り付けられ前記一端側上にリールの脚端受入空間を形成する固定フードと、前記リール着座面の他端側に竿軸方向に移動自在に取り付けられ前記他端側にリールの脚端受入空間を形成する筒状の可動フードとを備えた釣竿用リールシートにおいて、
釣竿リールシートをリール着座面が下方を向いた状態で側方視したときに現れる可動フードの竿軸方向の下側輪郭線は竿軸方向に略平行で、上側輪郭線は固定フードに向かって竿体側に近づいていることを特徴とする釣竿用リールシート。
【請求項２】
請求項１に記載したリールシートにおいて、
可動フードを竿軸方向に垂直に輪切りにしたときに現れる外周輪郭線のループは固定フードに向かって小さくなっていることを特徴とする釣竿用リールシート。
【請求項３】
請求項１または２に記載したリールシートにおいて、
可動フードは竿体を包囲する樹脂成形部と前記樹脂成形部を外嵌する金属成形部とからなることを特徴とする釣竿用リールシート。
【発明の詳細な説明】
【技術分野】
【０００１】
本発明は、釣竿用リールシートに関するものである。
【背景技術】
【０００２】
特許文献１（図９）に示すように、リール、例えば、スピニングリール６１には、スプール、支脚６５、取付脚６７が備えられている。取付脚６７は側方視で略Ｔ字形をなしており先端はそれぞれ楔形状の脚端６９、７１になっている。
このようなリール６１をリールシート１０１を介して竿体Ｓに取り付けた釣竿を使用した場合には、投擲後は、中指と薬指の付け根辺りでリール６１の支脚６５を挟んだ状態で人差し指、中指、薬指及び小指とでリール６１の取付脚６７を下から支持すると共に、親指をリールシート１０１に上から当てて押えるスタイルで、釣竿を握る。
また、スピニングリールにおいて行われる投擲時における糸の出を調整する「フェザーリング」と称する操作は、リール６１の場合、上記の握った状態から人差し指を伸ばしその先端をリール６１のスプールエッジ６３に当てて行う。
【０００３】
ところで、リールシート１０１は、可動フード１０３の外周面が固定フード１０９側に向かってその全周にわたって同じように縮径したテーパー状に形成されている。
【０００４】
【特許文献１】特開平９−２９８９９２号公報
【発明の開示】
【発明が解決しようとする課題】
【０００５】
上記したリールシート１０１では、可動フード外周面のうちリール着座面が下方を向いた状態で側方視したときに現れる人差し指の付け根の当たる上側輪郭線１０５からスプールエッジ６３までの距離が短くなっているので、リール６１が大きくてもまた手の小さい人でも、人差し指の先端がスプールエッジ６３に届き易く、フェザーリング性は良い。
一方、通常の握りの際に人差し指が当接して支持する可動フード外周面の下側輪郭線１０７も傾斜しているため、握りに違和感が多少なりとも生じてしまう。
【０００６】
それ故、本発明は、フェザーリング性と握り感の両方を同時に改善できる、形状の工夫された釣竿用リールシートを提供することを目的とする。
【課題を解決するための手段】
【０００７】
上記課題を解決するために、鋭意研究の結果、釣竿リールシートをリール着座面が下方を向いた状態で側方視したときの可動フードの外周面の形状を工夫することで上記両方の特性を同時に解決することに成功した。
以下に、本発明を説明する。
請求項１の発明は、竿体に取り付けられ外周面にリール着座面が形成されたリール着座部と、前記リール着座面の一端側に固定的に取り付けられ前記一端側上にリールの脚端受入空間を形成する固定フードと、前記リール着座面の他端側に竿軸方向に移動自在に取り付けられ前記他端側にリールの脚端受入空間を形成する筒状の可動フードとを備えた釣竿用リールシートにおいて、釣竿リールシートをリール着座面が下方を向いた状態で側方視したときに現れる可動フードの竿軸方向の下側輪郭線は竿軸方向に略平行で、上側輪郭線は固定フードに向かって竿体側に近づいていることを特徴とする釣竿用リールシートである。
【０００８】
請求項２の発明は、請求項１に記載したリールシートにおいて、可動フードを竿軸方向に垂直に輪切りにしたときに現れる外周輪郭線のループは固定フードに向かって小さくなっていることを特徴とする釣竿用リールシートである。
【０００９】
請求項３の発明は、請求項１または２に記載したリールシートにおいて、可動フードは竿体を包囲する樹脂成形部と前記樹脂成形部を外嵌する金属成形部とからなることを特徴とする釣竿用リールシートである。
【発明の効果】
【００１０】
本発明の釣竿用リールシートを装着した釣竿では、人差し指の付け根の当たる可動フード外周面の上側輪郭線からスプールまでの距離が短くなっているので、リールが大きくてもまた手の小さい人でも、フェザーリング操作時に人差し指の先端がスプールに届き易く、フェザーリング性が良い。
また、通常の握りの際に人差し指の当る可動フードの下側外周面が竿軸方向に略平行になっているので、握り時に違和感の無い安定した握りスタイルになる。
【発明を実施するための最良の形態】
【００１１】
本発明の第1の実施の形態に係る釣竿用リールシート１を、図面に従って説明する。
この釣竿用リールシート１はスピニングリール６１の使用に適したものであり、スピニングリール６１に適用した場合の実施の形態を説明する。
【００１２】
先ず、釣竿用リールシート１の全体構造について、特に図１、図２及び図７に従って説明する。
符号３はボディを示し、このボディ３は合成樹脂で形成されている。ボディ３は竿体Ｓを外嵌するリール着座部７とネジ筒２３とが一体に成形されたものであり、全体として略円筒状をなしている。中心孔５は横断面が真円形になっており、その径は竿体Ｓを隙間無く外嵌できる大きさに設定されている。また、リール着座部７の一端側には固定フード１３が一体に成形されている。
それぞれの部位では機能面からボディ３の外周面が特徴ある形状になっている。
【００１３】
リール着座部７はスピニングリール６１の取付脚６７が着座される部位である。図３、図４に拡大して示すように、ボディ３の半円弧が薄肉化されてリール着座面９が形成されている。従って、このリール着座面９は幅方向の両側に平坦部分が形成されている。リール着座面９の中心部にはブランド名の刻印用の浅い凹部１１が形成されている。
固定フード１３はリール着座面９の竿尻側端部に設けられており、端部上にスピニングリール６１の取付脚６７の一方の脚端６９のための脚端受入空間１５が形成されている。
符号１７はリアグリップを示し、このリアグリップ１７はリール着座部７の固定フード１３側に当接されて取り付けられている。リアグリップ１７の一部はリール着座面９を囲む外周面に形成された嵌合凹部に嵌合している。
【００１４】
リール着座面９を囲む竿先側の外周面は、リール着座面９と同じように薄肉化されており、その断面が真円の小径管になっている。この小径管の外周面を後述する可動フード２９が外嵌することになるので被嵌合外周面１９と定義する。
ネジ筒２３は上記したリール着座部７の被嵌合外周面１９の竿先側に連続しており、その外周面は被嵌合外周面１９と一致している。ネジ筒２３の外周面には雄ネジ２５が形成されている。また、ネジ筒２３の外周面には、図７に示すように竿軸方向に雄ネジ２５を縦断した細長い回り止め溝２７が延びている。
【００１５】
符号２９は可動フードを示し、この可動フード２９は、図３、図４に示すように、本体をなす円筒状の合成樹脂成形部３１と、合成樹脂成形部３１の外周面の凹みを埋めて外嵌する極薄肉の筒状の金属成形部３３とからなり、全体として略円筒状をなしている。
【００１６】
可動フード２９は、上部側が竿尻に向かってテーパー状に縮径して薄肉化されており、図６に示すように、可動フード２９を竿軸方向に垂直に輪切りにしたときの竿先側端面の外周輪郭線のループｒ１は真円形になっているが、竿尻に向かって徐々に楕円形に変移しており、竿尻側端面の外周輪郭線のループｒ２は縦長の楕円形になっている。
そして、釣竿リールシート１をリール着座面９が下方を向いた状態で側方視したときに現れる、可動フード２９の竿軸方向の上側輪郭線３５は固定フード１３に向かって竿体Ｓ側に近づいている。一方、下側輪郭線３７は竿軸方向に略平行になっている。
【００１７】
可動フード２９の内周面のうちリール６１の取付け側には取付脚６７の脚端７１を受け入れるリールの脚端受入空間を画定する受入口３９が形成されている。この受入口３９は、図６に示すように、竿先に向かって窄まっている。上側には竿軸方向に回り止めの突条部４１が延びている。
【００１８】
また、図６に示すように、可動フード２９の竿先側は薄肉化され、その先端には外方に突出した鈎状凸部４３が全周にわたって形成されている。この鈎状凸部４３は、竿先に向かって外周面が内方に直線状に傾斜してコーン状になっている。そして、可動フード２９の竿尻側端面と鈎状凸部４３との間の薄肉部分が外方に開口した環状の係合凹部４５になっている。
【００１９】
符号４７はナット部材を示し、このナット部材４７は全体として筒状をなしており、内周面、外周面ともその断面は略真円形になっている。図３、図４、図６に示すように、内周面には中間部分に雌ネジ５１が形成されている。
ナット部材４７の竿尻側端部には、図４、図６に示すように、外方に拡径した外方フランジ部５３が一体に設けられており、その外方フランジ部５３の内周面が切り欠かれて、内方に開口した環状の係合凹部５５になっている。
【００２０】
図６に示すように、可動フード２９とナット部材４７とは、ナット部材４７の竿尻側に設けられた外方フランジ部５３の係合凹部５５に可動フード２９の鈎状凸部４３が遊嵌されて連結される。ナット部材４７が可動フード２９側に押されると、ナット部材４７に設けられた外方フランジ部５３が可動フード２９の鈎状凸部４３上をスムーズに摺動しながら乗上げ、係合凹部５５内に嵌り込んで止まる。
連結時には、可動フード２９の外周面とナット部材４７に設けられた外方フランジ部５３の外周面の境界には段差は殆ど形成されない。また、可動フード２９の内周面は、ナット部材４７と嵌合する部分はナット部材４７の内周面と略合致する真円形になっているので、ナット部材４７の内周面の境界にも段差は殆ど形成されない。
【００２１】
可動フード２９にナット部材４７を連結し、ナット部材４７をネジ筒２３に挿し込んでその雌ネジ５１をネジ筒２３の雄ネジ２５に螺合させることにより、釣竿用リールシート１は組み立てられる。組立時には可動フード２９の突条部４１はネジ筒２３の回り止め溝２７に係合される。また、可動フード２９の合成樹脂成形部３１が竿体Ｓを包囲した状態になる。
組立後に、ナット部材４７を回転させると竿軸方向に対して前後に移動する。一方、可動フード２９は上記した係合により回転が規制され、前後にスライド移動する。
【００２２】
可動フード２９が固定フード１３に近づくと、可動フード２９の固定フード１３側はネジ筒２３を抜け出してその先のリール着座部７の被嵌合外周面１９上をスライド移動する。
可動フード２９の受入口３９と上記した被嵌合外周面１９との間にスピニングリール６１の取付脚６７の他方の脚端７１の脚端受入空間が形成される。
【００２３】
図７の符号５７は合成樹脂で形成されたフォーグリップを示し、このフォーグリップ５７は円筒状をなしている。フォーグリップ５７の一端は全面開口しているが、竿体３を外嵌できる大きさの孔を残して閉塞されている。
フォーグリップ５７をナット部材４７に外嵌して固定ナット１３に近づけると、全面開口側の端面はナット部材４７の外方フランジ部５３の竿先側段差面に当接して止められる。
外方フランジ部５３の段差面の高さはフォーグリップ５７の厚みに略一致しているので、フォーグリップ５７と外方フランジ部５３との間には段差は殆ど形成されない。
【００２４】
次に、竿体Ｓへのスピニングリール６１の装着方法を、図７を使って説明する。
ナット部材４７を回転させることで可動フード２９を適度に固定フード１３から離しておき、固定フード１３の脚端受入空間１５にスピニングリール６１の脚端６９を挿入しながら、リール着座面９に取付脚６７を着座させ、さらに、ナット部材４７を回転させることで可動フード２９を固定フード１３に近づかせて受入口３９の脚端受入空間に相対的に挿入する。そして、さらに可動フード２９を固定フード１３に近づけると、受入口３９側の内周面が当接した取付脚６７を竿体Ｓに向かって押さえ付ける。これにより取付脚６７がリール着座面９上に固定される。上記により、スピニングリール６１の装着作業が終了する。
【００２５】
図１に示すように、一般的な握りスタイルでスピニングリール６１を握るときに、人差し指が当接して支持する可動フード２９の外周面の下側輪郭線３７が竿軸方向に平行になっているので、握りに違和感は生じない。
また、スピニングリール６１に対してフェザーリング操作をするときに、人差し指の付け根の当たる可動フード２９の外周面の上側輪郭線３５からリール先端までの距離は、従来の釣竿用リールシートと同様に短くなっているので、人差し指の先端がスプールに届き易く、フェザーリング性は良い。
【００２６】
この実施の形態に係る釣竿のように、フォーグリップ５７が取り付けられるタイプのものでも、可動フード２９の竿先側外周面は竿尻側外周面より外方に拡径しているので、その部位は握りに適した太ささの棒状になっている。しかも、フォーグリップ５７の竿尻側面とナット部材４７の外周面と可動フード２９の外周面の間には段差は殆ど形成されないので、握りの違和感は生じない。
また、最近では、スピニングリール６１の取付脚６７は軽量性等を考慮してマグネシウム合金で形成され、その上に耐酸化用に樹脂が施され、さらにその上に塗料が施されたものが出回っているが、その取付脚６７を従来の図９に示すようなリールシート１０１に取り付けた場合、可動フード１０３はフォーグリップ１１１にカバーされたナット部材と一体になって回転しながら固定フード１０９に近づくので、可動フード１０３の先端縁が回転刃として働いて表層側の樹脂や塗料を剥がしてしまう場合がある。マグネシウム合金は非常にサビやすく、塗料や樹脂の剥離はリールの耐久性に致命的な影響を及ぼす。一方、釣竿用リールシート１に取り付けた場合には、可動フード２９は回転しないので上記したような不都合は生じない。すなわち、釣竿用リールシート１はリールの素材を限定しない。
【００２７】
また、可動フード２９の円筒体の外周面は竿軸方向に対して上部側が縮径しているが、下部側はそれとは逆方向に拡径はしていないので、金属成形部３３はプレス成形型で成形した後、竿軸方向に容易に抜き取ることができる。
【００２８】
次に、第２の実施の形態に係る釣竿用リールシート９１が装着された釣竿を、図８に従って説明する。
この釣竿用リールシート９１は第１の実施の形態に係る釣竿用リールシート１と殆ど同様な形状をしている。但し、支脚の無いベイトキャスティングリール９５を装着するタイプのものである。このタイプのリールシートのボディにはトリガー９３が形成されている。しかしながら、可動フード２９の上側輪郭線や下側輪郭線は、第1の実施の形態と同様に設定できる。
このように本発明のリールシートでは、装着するリールの種類は特に限定されず、それに対応した改変は本発明の範囲に含まれる。
【００２９】
以上、本発明の実施の形態を説明したが、本発明の具体的構成が上記の実施の形態に限定されるものではなく、本発明の要旨から外れない範囲での設計変更があっても本発明に含まれる。
例えば、第１の実施の形態では、可動フード２９の外周面の上側輪郭線３５は直線状に傾斜しているが、途中または両側端に平行部が設けられていてもよい。また、下方に窪んでいても、固定フード１３に向かって膨らんでいてもよい。但し、固定フード１３に向かって膨らむ場合には、その上端は可動フード２９の竿先側端部の上端を超えないものとする。
【００３０】
また、第１の実施の形態では、可動フード２９は樹脂成形部３１と金属成形部３３とで形成されている。出願人が現在入手できる材料を使用して可動フードを形成した場合にも、上記のように複数の異種素材を組み合わせたことにより可動フードの肉厚を適度なものに成形して握り感を良くすると同時に強度を適度なものにすることができる。しかしながら、将来案出されるまたは現在でも出願人に知られていない単一素材が肉厚と強度を同時に満足できる可動フードを形成できるのであれば、その素材で可動フードを形成したものも、本発明の範囲に含まれるものであることは言うまでもない。
【００３１】
いずれにしても、特許請求されている形状等を除いては、本発明の範囲は限定されず、従来からあるまたは将来案出される形状や素材を任意に組み合わせることができる。
【産業上の利用可能性】
【００３２】
本発明に係る釣竿用リールシートの可動フードの形状は比較的単純であり、従来の方法と同様にして成形できるので、製造コストの上昇などを招かずに済む。
【図面の簡単な説明】
【００３３】
【図１】本発明の第１の実施の形態に係る釣竿用リールシートが装着された釣竿の側方図である。
【図２】図１の釣竿の斜視図である。
【図３】図１の釣竿用リールシートの斜視図である。
【図４】図３の釣竿用リールシートの分解斜視図である。
【図５】図３の釣竿用リールシートを構成する可動フードとネジ軸の連結状態を示す側方図、正面図、及び背面図である。
【図６】図３の釣竿用リールシートを構成する可動フードとネジ軸の連結状態を示す側方断面図、及び可動フードの外周輪郭線図である。
【図７】図１の釣竿の側方断面図、及びリールシートの斜め下方から視た斜視図である
【図８】本発明の第２の実施の形態に係る釣竿用リールシートの側方図である。
【図９】従来の釣竿用リールシートの側方図である。
【符号の説明】
【００３４】
１‥‥釣竿用リールシート（第1の実施の形態）
３‥‥ボディ                      ７‥‥リール着座部
９‥‥リール着座面              １３‥‥固定フード
１７‥‥リアグリップ              １９‥‥被嵌合外周面
２３‥‥ネジ筒                    ２５‥‥雄ネジ
２７‥‥回り止め溝                ２９‥‥可動フード
３１‥‥樹脂成形部                ３３‥‥金属成形部
ｒ１、ｒ２‥‥可動フードの竿先側端面、竿尻側端面の外周輪郭線のループ
３５‥‥上側輪郭線                ３７‥‥下側輪郭線
３９‥‥受入口                    ４１‥‥突条部
４７‥‥ナット部材                ５１‥‥雌ネジ
５７‥‥フォーグリップ
６１‥‥スピニングリール          ６３‥‥スプールエッジ          
６７‥‥取付脚                    ６９、７１‥‥脚端
９１‥‥釣竿用リールシート（第２の実施の形態）
９３‥‥トリガー                  ９５‥‥ベイトリール
Ｓ‥‥竿体
【図１】
0004850802.tif 000002
【図２】
0004850802.tif 000003
【図３】
0004850802.tif 000004
【図４】
0004850802.tif 000005
【図５】
0004850802.tif 000006
【図６】
0004850802.tif 000007
【図７】
0004850802.tif 000008
【図８】
0004850802.tif 000009
【図９】
0004850802.tif 000010